(57)【要約】【課題】特に表示画面が狭いタッチパネルにおいて有用な、階層型メニュー構造のユーザインターフェースを有する施工業務管理装置を提供する。【解決手段】限られた面積のタッチパネルディスプレイを装備する携帯型無線端末よりなる施工業務管理装置１０３は、建築図面１４０２等が全面表示されるタッチパネルディスプレイの表示内容をできるだけ邪魔しないように、タッチパネルディスプレイにはメニューアイコン１４０３がただ一つだけ表示される。更に、このメニューアイコン１４０３は画面内の周縁部分へ自由に移動が可能である。そして、メニューボタンをタップすることで、メニューパッドが画面中央に展開される。すなわち、施工業務管理装置１０３は、その機能を一つのメニューアイコン１４０３からツリー構造で辿れるように設計されている。【選択図】図１５
2016110391.tif 000002
【特許請求の範囲】
【請求項１】
表示部と、
位置情報を出力し、前記表示部に重ねて設けられてタッチパネルディスプレイを構成する操作部と、
前記操作部から得られる操作情報に基づき、前記表示部に中心座標及び倍率を変更可能な図面を表示する図面表示処理部と、
前記図面の前記中心座標及び前記倍率に同期して、テキスト及び／または画像データであるオブジェクトを指し示す図面アイコンを表示する図面アイコン表示処理部と、
前記表示部に一つのメニューアイコンを移動可能に表示するメニューアイコン表示処理部と、
前記操作部から前記メニューアイコンに対して操作情報が生じたことを受けて、前記表示部に複数のアイコンを備えるメニューパッドを表示するメニューパッド表示処理部と
を具備し、
前記図面アイコン表示処理部は、第一のメモに属するオブジェクト群と、第二のメモに属するオブジェクト群のうち、指定された何れかのメモに属するオブジェクト群を前記表示部に表示する、
施工業務管理装置。
【請求項２】
前記メニューアイコン表示処理部は、前記表示部に前記メニューアイコンを置くことができない領域を示す除外エリア座標に基いて、前記メニューアイコンの表示位置を制御する、
請求項１に記載の施工業務管理装置。
【発明の詳細な説明】
【技術分野】
【０００１】
本発明は、主に建築現場等で図面を参照しながら作業の進捗状況を記録し、業務内容に関する情報を複数名で共有することで、進捗状況を管理する、施工業務管理装置に関する。
【背景技術】
【０００２】
通常、建築現場では様々な種類の建築図面を基に、建設作業が遂行される。建設作業において、作業の進捗状況や施工の出来を確認することは重要である。従来はそのような進捗管理を紙ベースで行っていたが、極めて煩雑であった。そこで、この建設作業の進捗管理を電子化することで、建設作業の利便性や作業効率を向上させる施工業務管理システムが幾つかの業者によって開発され、販売されている。出願人も、デスクトップパソコン及びタブレット端末用の施工業務管理システムを開発し、販売している。
特許文献１には、記録手段に記録されている所望の図面の表示や、被写体の撮影画像と当該被写体の配置情報との関連付けを容易に行うことができる部材情報管理システムが開示されている。
【先行技術文献】
【特許文献】
【０００３】
【特許文献１】特開２０１２−１９０１７７号公報
【発明の概要】
【発明が解決しようとする課題】
【０００４】
建設作業において、作業の進捗状況や施工の出来を確認するには、写真が最も有用である。紙ベースの時代では、建設作業の進捗状況や施工の出来を確認するために、インスタントカメラが多用されていた。デジタルカメラの出現は、撮影及び撮影した画像データの取り扱いの簡便さによって、建築業界に多大な貢献をもたらしている。更に、タッチパネルを備えるスマートフォン等の携帯型無線端末にデジタルカメラが装備されたことにより、利便性が更に向上している。したがって、携帯型無線端末で建築図面を参照し、そのままそのスマートフォンで必要な写真を撮影できれば、極めて利便性が高い。
しかしながら、携帯型無線端末の画面サイズは、本願出願時点で４〜５．５インチ程度であり、パソコンやタブレット端末と比べると、情報量が多い建築図面を表示するには画面サイズが狭い。更に、狭いタッチパネルの画面に操作メニューボタンを配置すると、図面の表示領域が狭まり、実用性が大きく損なわれてしまう。
【０００５】
本発明はかかる課題を解決し、特に表示画面が狭いタッチパネルにおいて有用な、階層型メニュー構造のユーザインターフェースを有する施工業務管理装置を提供することを目的とする。
【課題を解決するための手段】
【０００６】
上記課題を解決するために、本発明の施工業務管理装置は、表示部と、位置情報を出力し、表示部に重ねて設けられてタッチパネルディスプレイを構成する操作部と、操作部から得られる操作情報に基づき、表示部に中心座標及び倍率を変更可能な図面を表示する図面表示処理部と、図面の中心座標及び倍率に同期して、テキスト及び／または画像データであるオブジェクトを指し示す図面アイコンを表示する図面アイコン表示処理部とを具備する。更に、表示部に一つのメニューアイコンを移動可能に表示するメニューアイコン表示処理部と、操作部からメニューアイコンに対して操作情報が生じたことを受けて、表示部に複数のアイコンを備えるメニューパッドを表示するメニューパッド表示処理部とを具備する。そして図面アイコン表示処理部は、第一のメモに属するオブジェクト群と、第二のメモに属するオブジェクト群のうち、指定された何れかのメモに属するオブジェクト群を表示部に表示する。
【発明の効果】
【０００７】
本発明により、特に表示画面が狭いタッチパネルにおいて有用な、階層型メニュー構造のユーザインターフェースを有する施工業務管理装置を提供することができる。
上記した以外の課題、構成及び効果は、以下の実施形態の説明により明らかにされる。
【図面の簡単な説明】
【０００８】
【図１】施工業務管理システムの全体構成を示す概略図である。
【図２】本実施形態に係る施工業務管理装置の、ハードウェア構成を示すブロック図である。
【図３】本実施形態に係る施工業務管理装置の、ソフトウェア機能を示すブロック図である。
【図４】図面ファイルの概念図と、図面ファイルの構成を示す図である。
【図５】図面表示処理部と、図面アイコン表示処理部と、メニューアイコン表示処理部と、コンテンツ表示処理部の機能を説明するブロック図である。
【図６】メニューパッド表示処理部の機能を説明するブロック図である。
【図７】画像登録処理部の機能を説明するブロック図である。
【図８】撮影処理部の機能を説明するブロック図である。
【図９】コメント処理部の機能を説明するブロック図である。
【図１０】メモ処理部の機能を説明するブロック図である。
【図１１】共有処理部の機能を説明するブロック図である。
【図１２】図面選択処理部の機能を説明するブロック図である。
【図１３】施工業務管理装置の状態遷移図である。
【図１４】施工業務管理装置の表示部に表示される図面表示画面の一例を示す図と、図面表示画面に表示されるメニューアイコンの移動可能な場所の一例と、メニューアイコンの移動不可能な場所の一例を示す図である。
【図１５】施工業務管理装置の表示部に表示される図面表示画面の一例を示す図と、メインメニュー表示画面の一例を示す図と、メモメニュー表示画面の一例を示す図と、共有メニュー画面の一例を示す図である。
【図１６】画面の遷移を示す図である。
【図１７】メニューアイコンのバリエーションを示す図である。
【発明を実施するための形態】
【０００９】
本発明は、携帯型無線端末で実現される施工業務管理装置におけるＧＵＩ（Graphical User Interface）の改良である。施工業務管理装置は、携帯型無線端末の、限られた面積のタッチパネルディスプレイに、移動可能な一つのメニューボタンと、図面を表示する。このとき、タッチパネルディスプレイにおける図面の表示をできるだけ邪魔しないように、メニューボタンは一つだけ表示されるようにする。そして、表示されたメニューボタンをタップ（一本指で軽く叩く）することにより、メニューパッドが画面中央に展開される。
【００１０】
［施工業務管理システムの全体構成］
図１は、施工業務管理システム１０１の全体構成を示す概略図である。
施工業務管理システム１０１は、図面サーバ１０２と、施工業務管理装置１０３よりなる。なお、施工業務管理装置１０３の実体は、スマートフォン等の携帯型無線端末である。施工業務管理装置１０３は図面サーバ１０２に対し、アクセスポイント１０４とインターネット１０５を介して接続する。
建築現場等で作業に従事する作業員１０６は、各々が携帯型無線端末を所持している。この携帯型無線端末には、後述する施工業務管理装置１０３としてのプログラムがインストールされている。携帯型無線端末は、施工業務管理プログラムを実行することにより、スタンドアロンの施工業務管理装置１０３としての機能を実現する。
【００１１】
図面サーバ１０２には、建築現場等で使用する建築図面の図面データと、この図面データに紐付くメモデータが格納される。このメモデータには、図面に任意の文章を書き入れたり、デジタルカメラで撮影した画像データを貼り付けたりすることができる、このメモデータは、図面データに被さるレイヤーの概念で形成されるデータである。メモデータの詳細については図４以降で後述する。
建設現場は、アクセスポイント１０４の電波が届きにくい場合が多い。そこで、本実施形態の施工業務管理装置１０３は、オフライン作業を主とする。すなわち、施工業務管理装置１０３は、図面サーバ１０２から図面データと、必要に応じてメモデータをダウンロードして、携帯型無線端末内の不揮発性ストレージに記憶する。そして、作業を進めることでメモデータの更新や新規作成を行った後、アクセスポイント１０４と通信が可能な状態になった時に、作成したメモデータを図面サーバ１０２へアップロードする。
【００１２】
［施工業務管理装置１０３のハードウェア構成］
図２は、本実施形態に係る施工業務管理装置１０３の、ハードウェア構成を示すブロック図である。
図２中、周知の携帯型無線端末である施工業務管理装置１０３は、バス２０１に接続された、ＣＰＵ２０２、ＲＯＭ２０３、ＲＡＭ２０４、フラッシュメモリ等の不揮発性ストレージ２０５、液晶ディスプレイ等の表示部２０６、静電式位置検出装置等の操作部２０７、アクセスポイント１０４との無線通信を行う無線通信部２０８を備える。更に、通話のためのマイク２０９が接続されるＡ／Ｄ変換器２１０と、スピーカ２１１が接続されるＤ／Ａ変換器２１２も、バス２０１に接続されている。更に、カメラ機能を提供する撮像素子２１３も、バス２０１に接続されている。
操作部２０７と表示部２０６により、周知のタッチパネルが構成される。
不揮発性ストレージ２０５には、図面サーバ１０２からダウンロードした、図４にて後述する図面ファイルの他、種々のファイルが格納される。
【００１３】
［施工業務管理装置１０３のソフトウェア機能］
図３は、本実施形態に係る施工業務管理装置１０３の、ソフトウェア機能を示すブロック図である。
操作部２０７から出力される操作情報は、操作情報解析部３０１に送られる。操作情報解析部３０１は、オブジェクト座標メモリ３０２と状態メモリ３０３を参照しながら、操作情報をどの機能ブロックに送出すべきかを判断し、目的となる機能ブロックへ操作情報を送出する。
オブジェクト座標メモリ３０２には、表示部２０６の画面内に表示されるオブジェクトの座標情報や当該オブジェクトに付随する情報が格納される。付随する情報は、オブジェクトの種類によって異なる。
状態メモリ３０３には、施工業務管理装置１０３の、現在の状態を示す情報が格納される。
メモＩＤメモリ３０４には、表示部２０６に表示する図面ファイルのファイル名と、その図面ファイルに含まれるメモを指定するメモＩＤが格納される。メモＩＤについては図４にて後述する。
不揮発性ストレージ２０５に形成されるファイルシステム３０５には、図面サーバ１０２からダウンロードした、図４にて後述する図面ファイルの他、後述する種々のファイルが格納される。
【００１４】
図面表示処理部３０６は、メモＩＤメモリ３０４から図面ファイルのファイル名を参照し、表示制御部３０７を通じて、表示部２０６に図面ファイルの図面データを表示する。その際、図面表示処理部３０６は、オブジェクト座標メモリ３０２に格納されている図面中心座標と図面倍率を参照して、図面データの表示内容を決定する。
図面中心座標と図面倍率は、操作部２０７から得られる操作情報によって決定される。例えば、指で表示部２０６に表示されている図面をドラッグすると、図面中心座標が変更される。また、二本の指で画面を摘むように操作する（ピンチ）と、図面倍率が変更される。
【００１５】
図面アイコン表示処理部３０８は、メモＩＤメモリ３０４から図面ファイルのファイル名とメモＩＤを参照し、表示制御部３０７を通じて、表示部２０６に図面上のアイコンを表示する。その際、図面アイコン表示処理部３０８は、オブジェクト座標メモリ３０２に格納されている図面中心座標と図面倍率と、アイコン座標とアイコン種類を参照して、アイコンの表示位置及び表示内容を決定する。
メニューアイコン表示処理部３０９は、表示制御部３０７を通じて、表示部２０６にメニューアイコンを表示する。その際、メニューアイコン表示処理部３０９は、オブジェクト座標メモリ３０２に格納されているメニューアイコン座標とメニューアイコン種類を参照して、メニューアイコンの表示位置及び表示内容を決定する。
【００１６】
コンテンツ表示処理部３１０は、表示制御部３０７を通じて、表示部２０６にコンテンツを表示する。なお、コンテンツ表示処理部３１０はオブジェクト座標メモリ３０２を参照する必要がない。
メニューパッド表示処理部３１１は、表示制御部３０７を通じて、表示部２０６にメニューパッドを表示する。その際、メニューパッド表示処理部３１１は、オブジェクト座標メモリ３０２に格納されているメニューボタン座標とメニューパッド種類を参照して、メニューパッドの表示内容を決定する。
画像登録処理部３１２は、表示制御部３０７を通じて、表示部２０６に画像登録画面を表示する。なお、画像登録処理部３１２はオブジェクト座標メモリ３０２を参照する必要がない。
撮影処理部３１３は、表示制御部３０７を通じて、表示部２０６に撮影画面を表示する。なお、撮影処理部３１３はオブジェクト座標メモリ３０２を参照する必要がない。
【００１７】
コメント処理部３１４は、表示制御部３０７を通じて、表示部２０６にコメント作成画面を表示する。なお、コメント処理部３１４はオブジェクト座標メモリ３０２を参照する必要がない。
メモ処理部３１５は、表示制御部３０７を通じて、表示部２０６にメモ作成画面等を表示する。なお、メモ処理部３１５はオブジェクト座標メモリ３０２を参照する必要がない。
共有処理部３１６は、表示制御部３０７を通じて、表示部２０６に共有画面等を表示する。なお、共有処理部３１６はオブジェクト座標メモリ３０２を参照する必要がない。
図面選択処理部３１７は、表示制御部３０７を通じて、表示部２０６に図面選択画面を表示する。なお、図面選択処理部３１７はオブジェクト座標メモリ３０２を参照する必要がない。
【００１８】
［データの構成］
紙ベースの施工業務管理は、建築現場等で建築図面を広げ、点検した施工箇所に該当する建築図面上の位置にメモを書き入れたり、写真を添付する等の作業を行っていた。
本実施形態の施工業務管理装置１０３は、この紙ベースの施工業務管理を電子端末上で仮想的に模倣する。すなわち、施工業務管理装置１０３は、図面データの編集を行わないが、図面の上に透明なシートを被せ、その透明なシートの上にテキストや画像を貼り付ける。そして、その透明なシートには日時情報を記入する。翌日には、新しい透明なシート
を図面に被せ、昨日と同様にその透明なシートの上にテキストや画像を貼り付ける。このように、日々追加され更新される透明なシート同士を比較することで、作業の進捗等が判る。この概念を、計算機で実現する。
【００１９】
図４Ａは、上述の図面ファイルの概念を示す図である。図面ファイル４０１は、一つの図面データ４０２と一つ以上のメモ４０３ａ、４０３ｂ、４０３ｃ…で構成される。以下、メモ４０３ａ、４０３ｂ、４０３ｃを特に区別しない場合、メモ４０３と称する。
メモ４０３は、先に述べた透明なシートである。このメモ４０３の上の、図面データ４０２に示される柱や所定の設備等の場所に、オブジェクト４０４を貼り付ける。オブジェクト４０４は画像やコメント（テキスト）である。
透明なシート、すなわちメモ４０３を交換すれば、また新しいオブジェクト４０４を貼り付けることができる。施工の日付毎にメモ４０３を用意し、その日に撮影した画像や、作業者のコメントをメモ４０３に貼り付ける作業を繰り返すことで、メモ４０３が複数作成される。そして、この複数作成されたメモ４０３を通して見ることで、施工の進捗状況を的確に把握することができる。
表示部２０６に図面データ４０２を表示する際には、複数存在するメモ４０３ａ、４０３ｂ、４０３ｃのうち、表示したいメモを一つ選択する。図４Ａでは、メモ４０３ｂを選択している。
【００２０】
図４Ｂは、図面ファイル４０１の構成を示す図である。図４Ａに示した概念を基に構成したものが、図４Ｂに示す図面ファイル４０１である。
図面ファイル４０１は、図面データ領域４０５と、メモインデックステーブル領域４０６と、オブジェクトテーブル領域４０７よりなる。
図面データ領域４０５は、図面データ４０２が格納される領域である。
メモインデックステーブル領域４０６は、メモを示す情報がレコードとして格納されるテーブルの領域である。
オブジェクトテーブル領域４０７は、メモに貼り付けられるオブジェクトが格納されるテーブルの領域である。
【００２１】
メモインデックステーブル領域４０６に格納されるメモインデックステーブル４０８は、メモＩＤフィールドと、テキストフィールドよりなる。
メモＩＤフィールドには、メモを一意に識別するメモＩＤが格納される。
テキストフィールドには、利用者がメモを認識できるようにするための情報が格納される。通常は、作成した日時を示す文字列が格納される。
【００２２】
オブジェクトテーブル領域４０７に格納されるオブジェクトテーブル４０９は、メモＩＤフィールドと、コンテンツ種別フィールドと、アイコン座標フィールドと、コンテンツフィールドよりなる。
メモＩＤフィールドは、メモインデックステーブル４０８の同名フィールドと同じである。
コンテンツ種別フィールドには、コンテンツの種類を示す情報が格納される。本実施形態の施工業務管理装置１０３の場合、コンテンツの種類は「画像」又は「コメント」であるが、「動画」や「音声」等もオブジェクトの対象となりうる。
アイコン座標フィールドには、アイコンの座標情報が格納される。アイコンの座標情報は、図面における位置情報に等しい。
コンテンツフィールドには、コンテンツの内容が格納される。図４Ｂにはその一例として、以下の三つを記している。
（１）画像のみの場合は、コンテンツフィールドに画像ファイルのフルパス名が格納される。
（２）コメントの場合は、コンテンツフィールドにコメントの文章が格納される。
（３）コメントを伴う画像の場合は、コンテンツフィールドに画像ファイルのフルパス名とコメントの文章が格納される。その際、画像ファイルのフルパス名とコメントを識別するため、所定のフィールド区切子（フィールドセパレータ）が挿入される。図４Ｂでは一例として、周知のＣＳＶ（Comma Separated Volume）に倣い、コメントの文章はダブルクォーテーションで括り、フィールドセパレータはカンマで区切っている。
【００２３】
図４Ｂを見て判るように、図面ファイル４０１は複数のメモを持つことができる。しかし、表示部２０６に表示するメモはそれら複数のメモからユーザが選択した一つだけである。この、表示対象とするメモを指定するために、メモＩＤメモリ３０４が設けられている。
【００２４】
［機能ブロックの詳細］
図３では、施工業務管理装置１０３のソフトウェア機能を概略的に説明したが、これから各機能ブロックについて詳述する。
図５は、図３に示した図面表示処理部３０６、図面アイコン表示処理部３０８、メニューアイコン表示処理部３０９、及びコンテンツ表示処理部３１０の機能の詳細を説明するためのブロック図である。
なお、後述する図１３において、上述の図面表示処理部３０６と、図面アイコン表示処理部３０８と、メニューアイコン表示処理部３０９は、図面表示画面に関係する。コンテンツ表示処理部３１０は、コンテンツ表示画面に関係する。
【００２５】
図面表示処理部３０６は、先ず、メモＩＤメモリ３０４から図面ファイル４０１のファイル名を取得して、図面ファイル４０１を特定する。次に図面ファイル４０１から図面データ領域４０５内の図面データ４０２を読み出し、表示制御部３０７を通じて、表示部２０６に図面データ４０２を表示する。その際、図面表示処理部３０６は、オブジェクト座標メモリ３０２に格納されている図面中心座標と図面倍率を参照して、図面データ４０２の表示内容を決定する。すなわち図面表示処理部３０６は、図面中心座標で図面データ４０２の何処を中心に表示すべきかを決定し、図面倍率で図面中心座標からどの範囲まで表示部２０６に表示すべきかを決定する。
【００２６】
図面アイコン表示処理部３０８は、先ず、メモＩＤメモリ３０４から図面ファイル４０１のファイル名とメモＩＤを取得して、図面ファイル４０１を特定する。次に取得したメモＩＤを基に図面ファイル４０１からオブジェクトテーブル領域４０７内のオブジェクトテーブル４０９を読み出す。そして、ファイルシステム３０５内の図面アイコンライブラリ５０１から図面アイコン画像データを読み出し、表示制御部３０７を通じて、表示部２０６に図面上のアイコン（以下「図面アイコン」）を表示する。その際、図面アイコン表示処理部３０８は、オブジェクト座標メモリ３０２に格納されている図面中心座標と図面倍率と、図面アイコン座標と図面アイコン種類を参照して、図面アイコンの表示位置及び表示内容を決定する。
図面アイコン表示処理部３０８は、図面表示処理部３０６が変更する図面中心座標と図面倍率に同期して、表示部２０６に表示される図面アイコンの表示位置を変更する。
【００２７】
図面アイコン表示処理部３０８は、オブジェクトテーブル４０９に記されているオブジェクト群のうち、メモＩＤメモリ３０４に格納されているメモＩＤに属するオブジェクトのみを表示部２０６に表示する。
一例として図４Ａを参照して、メモ４０３ａを第一のメモ、メモ４０３ｂを第二のメモ、メモ４０３ｃを第三のメモとする。メモＩＤメモリ３０４には第二のメモのメモＩＤが記述されている。図面アイコン表示処理部３０８は、オブジェクトテーブル４０９に記されている、第一のメモに属するオブジェクト群、第二のメモに属するオブジェクト群、そして第三のメモに属するオブジェクト群のうち、メモＩＤメモリ３０４に格納されている第二のメモのメモＩＤに属するオブジェクト群のみ、表示部２０６に表示する。
【００２８】
メニューアイコン表示処理部３０９は、ファイルシステム３０５内のメニューアイコンライブラリ５０２からメニューアイコン画像データを読み出し、表示制御部３０７を通じて、表示部２０６にメニューアイコンを表示する。その際、メニューアイコン表示処理部３０９は、オブジェクト座標メモリ３０２に格納されているメニューアイコン座標とメニューアイコン種類を参照して、メニューアイコンの表示位置及び表示内容を決定する。
なお、メニューアイコン表示処理部３０９は、表示部２０６が表示する表示画面内における、メニューアイコンの移動可能範囲を制限するため、除外エリア座標３０９ａを内部に保持している。除外エリア座標３０９ａの詳細については、図１４にて後述する。
【００２９】
コンテンツ表示処理部３１０は、先ず、メモＩＤメモリ３０４からメモＩＤを読み出し、次にこのメモＩＤを基にファイルシステム３０５内の図面ファイル４０１からオブジェクトテーブル領域４０７内のオブジェクトテーブル４０９を読み出す。そして、必要に応じてファイルシステム３０５内の画像ファイル５０３を読み出し、表示制御部３０７を通じて、表示部２０６にコンテンツ、すなわち画像及び／又はコメント文字列を表示する。なお、コンテンツ表示処理部３１０はオブジェクト座標メモリ３０２を参照する必要がない。
【００３０】
図６は、図３に示したメニューパッド表示処理部３１１の機能の詳細を説明するためのブロック図である。
メニューパッド表示処理部３１１は、ファイルシステム３０５内のメニューパッドライブラリ６０１からメニューパッド画像データを読み出し、表示制御部３０７を通じて、表示部２０６にメニューパッドを表示する。その際、メニューパッド表示処理部３１１は、オブジェクト座標メモリ３０２にメニューボタン座標とメニューパッド種類を格納することで、操作部２０７から入力された操作情報に対し、どの機能ブロックに処理を移行するかについて、操作情報解析部３０１に判断させる。
【００３１】
図７は、図３に示した画像登録処理部３１２の機能の詳細を説明するためのブロック図である。
画像登録処理部３１２は、操作部２０７から送られる操作情報に従ってファイルシステム３０５内の画像ファイル５０３を読み出して表示制御部３０７を通じて表示部２０６に表示した後、図面ファイル４０１からオブジェクトテーブル領域４０７内のオブジェクトテーブル４０９に、メモＩＤメモリ３０４から読み出したメモＩＤと画像ファイル５０３のフルパス名を含むレコードを追記録する。
画像登録処理部３１２によってオブジェクトテーブル領域４０７のオブジェクトテーブル４０９に新たなレコードが追記録されると、図面アイコン表示処理部３０８は更新されたオブジェクトテーブル４０９に基いて、表示部２０６に図面アイコンを表示する。
【００３２】
図８は、図３に示した撮影処理部３１３の機能の詳細を説明するためのブロック図である。
撮影処理部３１３は、撮像素子２１３から得られる画像データをファイルシステム３０５内の画像ファイル５０３に形成した後、操作部２０７から送られる操作情報に従って画像データを表示制御部３０７を通じて表示部２０６に表示した後、図面ファイル４０１からオブジェクトテーブル領域４０７内のオブジェクトテーブル４０９に、メモＩＤメモリ３０４から読み出したメモＩＤと画像ファイル５０３のフルパス名を含むレコードを追記録する。
撮影処理部３１３によってオブジェクトテーブル領域４０７のオブジェクトテーブル４０９に新たなレコードが追記録されると、図面アイコン表示処理部３０８は更新されたオブジェクトテーブル４０９に基いて、表示部２０６に図面アイコンを表示する。
【００３３】
図９は、図３に示したコメント処理部３１４の機能の詳細を説明するためのブロック図である。
コメント処理部３１４は、操作部２０７から送られる操作情報に従って図面ファイル４０１からオブジェクトテーブル領域４０７内のオブジェクトテーブル４０９に、メモＩＤメモリ３０４から読み出したメモＩＤと操作情報の一部として得られるコメント文字列を含むレコードを追記録する。
コメント処理部３１４によってオブジェクトテーブル領域４０７のオブジェクトテーブル４０９に新たなレコードが追記録されると、図面アイコン表示処理部３０８は更新されたオブジェクトテーブル４０９に基いて、表示部２０６に図面アイコンを表示する。
【００３４】
図１０は、図３に示したメモ処理部３１５の機能の詳細を説明するためのブロック図である。
メモ処理部３１５は、操作部２０７から送られる操作情報に従って、図面ファイル４０１からメモインデックス領域内のメモインデックステーブル４０８の、新規レコード追記録や既存レコードの削除等の編集作業を行う。そして、その編集作業の中で、メモＩＤメモリ３０４に格納されているメモＩＤの更新を行う。
メモ処理部３１５によってメモＩＤメモリ３０４に格納されているメモＩＤの更新が行われると、図面アイコン表示処理部３０８は更新されたメモＩＤに基づいて、オブジェクトテーブル４０９からオブジェクトを読み込み、オブジェクトに対応する図面アイコンを表示部２０６に表示する。
【００３５】
図１１は、図３に示した共有処理部３１６の機能の詳細を説明するためのブロック図である。
共有処理部３１６は、操作部２０７から送られる操作情報に従って、図面ファイル４０１からメモＩＤメモリ３０４に格納されているメモＩＤに基づき、メモインデックス領域内のメモインデックステーブル４０８の該当レコードと、オブジェクトテーブル領域４０７に格納されるオブジェクトテーブル４０９の該当レコードと、関連する画像ファイル５０３（すなわち、メモを構成するコンテンツとインデックス情報）を、無線通信部２０８を通じて図面サーバ１０２へ送信する。なお、共有処理部３１６がユーザによって指定されたメモを送信する際には、図面表示処理部３０６と図面アイコン表示処理部３０８の協調動作によって、メモの選択が行われる。
【００３６】
図１２は、図３に示した図面選択処理部３１７の機能の詳細を説明するためのブロック図である。
図面選択処理部３１７は、一つ以上の図面ファイル４０１の一覧を表示部２０６に表示する。
そして、操作部２０７から送られる操作情報に従って、ユーザによって選択された図面ファイル４０１のファイル名をメモＩＤメモリ３０４に格納する。
すると、メモＩＤメモリ３０４に書き込まれた図面ファイル４０１のファイル名は、図面表示処理部３０６に読み込まれ、図面表示処理部３０６は表示部２０６に図面を表示する。また、図面ファイル４０１に格納されているメモＩＤが図面表示処理部３０６によってメモＩＤメモリ３０４に書き込まれる。メモＩＤメモリ３０４に書き込まれたメモＩＤは図面アイコン表示処理部３０８に読み込まれ、表示部２０６には図面アイコンが表示される。
【００３７】
［表示画面：画面の遷移］
これより、本実施形態の施工業務管理装置１０３における、表示部２０６（タッチパネルディスプレイ）に表示される画面、そしてその表示内容について説明する。
図１３は、施工業務管理装置１０３の状態遷移図である。
ユーザが携帯型無線端末を操作して、施工業務管理装置１０３のプログラムを起動すると、表示部２０６には、図面表示処理部３０６と図面アイコン表示処理部３０８とメニューアイコン表示処理部３０９によって、図面表示画面が表示される（Ｓ１３０１）。
図面表示画面が表示されている表示部２０６の、図面アイコン以外の場所をドラッグすると、表示部２０６には、図面表示処理部３０６と図面アイコン表示処理部３０８によって、図面及び図面アイコンの移動が行われる。また、表示部２０６に対してピンチ操作を行うと、表示部２０６には、図面表示処理部３０６と図面アイコン表示処理部３０８によって、図面及び図面アイコンの拡大又は縮小表示が行われる。
図面表示画面が表示されている表示部２０６の、図面アイコンをタップすると、表示部２０６には、コンテンツ表示処理部３１０によって、コンテンツ表示画面が表示される（Ｓ１３０２）。
【００３８】
図面表示画面が表示されている表示部２０６の、メニューアイコンをタップすると、表示部２０６には、メニューパッド表示処理部３１１によって、メインメニュー画面が表示される（Ｓ１３０３）。
メインメニュー画面が表示されている表示部２０６の、メインメニューパッドの中心をタップすると、図面表示画面に戻る（Ｓ１３０１）。
【００３９】
メインメニュー画面が表示されている表示部２０６の、メインメニューパッドに表示されている画像アイコンをタップすると、表示部２０６には、図面表示処理部３０６と図面アイコン表示処理部３０８によって、画像登録図面表示画面が表示される（Ｓ１３０４）。ユーザが、表示部２０６に表示されている図面の、所望の場所をタップすると、表示部２０６には、画像登録処理部３１２によって、カメラロール画面が表示される（Ｓ１３０５）。
カメラロール画面が表示されている表示部２０６の、カメラロールに表示されている縮小画像アイコンをタップすると、画像登録処理部３１２は該当する画像ファイル５０３の図面ファイル４０１への登録処理を行う。その後、図面表示画面に戻る（Ｓ１３０１）。
カメラロール画面が表示されている表示部２０６の、画面右上に表示されているキャンセルボタンをタップすると、表示部２０６には、画像登録処理部３１２によって、画像登録画面が表示される（Ｓ１３０６）。
画像登録画面が表示されている表示部２０６の、画面中央に表示されている画像アイコンをタップすると、カメラロール画面に戻る（Ｓ１３０５）。
所定の画像ファイル５０３が選択された状態の画像登録画面が表示されている表示部２０６の、画面中央に表示されている上書きボタン又は追加ボタンをタップすると、画像登録処理部３１２は該当する画像ファイル５０３の図面ファイル４０１への登録処理を行う。その後、図面表示画面に戻る（Ｓ１３０１）。
【００４０】
メインメニュー画面が表示されている表示部２０６の、メインメニューパッドに表示されているカメラアイコンをタップすると、表示部２０６には、図面表示処理部３０６と図面アイコン表示処理部３０８によって、撮影図面表示画面が表示される（Ｓ１３０７）。ユーザが、表示部２０６に表示されている図面の、所望の場所をタップすると、表示部２０６には、画像登録処理部３１２によって、画像登録画面が表示される（Ｓ１３０６）。
画像登録画面が表示されている表示部２０６の、画面中央に表示されているカメラアイコンをタップすると、表示部２０６には、撮影処理部３１３によって、撮影画面が表示される（Ｓ１３０８）。
所定の画像ファイル５０３が選択された状態の画像登録画面が表示されている表示部２０６の、画面中央に表示されている上書きボタン又は追加ボタンをタップすると、画像登録処理部３１２は該当する画像ファイル５０３の図面ファイル４０１への登録処理を行う。その後、図面表示画面に戻る（Ｓ１３０１）。
撮影画面が表示されている表示部２０６の、画面下に表示されている撮影ボタンをタップすると、撮影処理部３１３は撮像素子２１３から画像ファイル５０３を生成し、画像ファイル５０３の図面ファイル４０１への登録処理を行う。その後、図面表示画面に戻る（Ｓ１３０１）。
【００４１】
メインメニュー画面が表示されている表示部２０６の、メインメニューパッドに表示されているコメントアイコンをタップすると、表示部２０６には、図面表示処理部３０６と図面アイコン表示処理部３０８によって、コメント図面表示画面が表示される（Ｓ１３１０）。ユーザが、表示部２０６に表示されている図面の、所望の場所をタップすると、表示部２０６には、コメント処理部３１４によって、コメント登録画面が表示される（Ｓ１３１１）。
コメント登録画面が表示されている表示部２０６の、上部に表示されているキャンセルボタンをタップすると、図面表示画面に戻る（Ｓ１３０１）。
コメント登録画面が表示されている表示部２０６の、上部に表示されている保存ボタンをタップすると、コメント処理部３１４は操作部２０７から入力された文字列の、図面ファイル４０１への登録処理を行う。その後、図面表示画面に戻る（Ｓ１３０１）。
【００４２】
メインメニュー画面が表示されている表示部２０６の、メインメニューパッドに表示されているメモアイコンをタップすると、表示部２０６には、メニューパッド表示処理部３１１によって、メモメニュー画面が表示される（Ｓ１３１２）。
メモメニュー画面が表示されている表示部２０６の、メモメニューパッドに表示されている新規メモ作成アイコンをタップすると、表示部２０６には、メモ処理部３１５によって、新規メモ作成画面が表示される（Ｓ１３１３）。
新規メモ作成画面が表示されている表示部２０６の、画面に表示されているキャンセルボタンをタップすると、図面表示画面に戻る（Ｓ１３０１）。
新規メモ作成画面が表示されている表示部２０６の、画面に表示されている作成ボタンをタップすると、メモ処理部３１５は新規のメモを作成する。そして、図面表示画面に戻る（Ｓ１３０１）。
【００４３】
メモメニュー画面が表示されている表示部２０６の、メモメニューパッドに表示されているサーバメモ取得アイコンをタップすると、表示部２０６には、メモ処理部３１５によって、サーバメモ取得画面が表示される（Ｓ１３１４）。
サーバメモ取得画面が表示されている表示部２０６の、画面に表示されているキャンセルボタンをタップすると、図面表示画面に戻る（Ｓ１３０１）。
サーバメモ取得画面が表示されている表示部２０６の、画面に表示されている取得ボタンをタップすると、メモ処理部３１５は図面サーバ１０２から指定されたメモを取得する。そして、図面表示画面に戻る（Ｓ１３０１）。
【００４４】
メモメニュー画面が表示されている表示部２０６の、メモメニューパッドに表示されているメモ一覧アイコンをタップすると、表示部２０６には、メモ処理部３１５によって、メモ一覧表示画面が表示される（Ｓ１３１５）。
メモ一覧表示画面が表示されている表示部２０６の、画面に表示されているキャンセルボタンをタップすると、図面表示画面に戻る（Ｓ１３０１）。
メモ一覧表示画面が表示されている表示部２０６の、画面に表示されている合成ボタンをタップすると、メモ処理部３１５はユーザによって指定された複数のメモを合成する。そして、図面表示画面に戻る（Ｓ１３０１）。
【００４５】
メモメニュー画面が表示されている表示部２０６の、メモメニューパッドに表示されているメモコピーアイコンをタップすると、表示部２０６には、図面表示処理部３０６と図面アイコン表示処理部３０８とメモ処理部３１５によって、メモコピー画面が表示される（Ｓ１３１６）。
メモコピー画面が表示されている表示部２０６の、画面に表示されているキャンセルボタンをタップすると、図面表示画面に戻る（Ｓ１３０１）。
メモコピー画面が表示されている表示部２０６の、画面に表示されている確定保存ボタンをタップすると、メモ処理部３１５はユーザによって指定されたメモを複製する。そして、図面表示画面に戻る（Ｓ１３０１）。
【００４６】
メインメニュー画面が表示されている表示部２０６の、メインメニューパッドに表示されている共有アイコンをタップすると、表示部２０６には、メニューパッド表示処理部３１１によって、共有メニュー画面が表示される（Ｓ１３１７）。
共有メニュー画面が表示されている表示部２０６の、共有メニューパッドに表示されているメール作成アイコンをタップすると、表示部２０６には、共有処理部３１６によって、メール送信画面が表示される（Ｓ１３１８）。
メール送信画面が表示されている表示部２０６の、画面に表示されているキャンセルボタンをタップすると、図面表示画面に戻る（Ｓ１３０１）。
メール送信画面が表示されている表示部２０６の、画面に表示されている送信ボタンをタップすると、共有処理部３１６は指定されたメモを指定された送信相手へメール送信する。そして、図面表示画面に戻る（Ｓ１３０１）。
【００４７】
共有メニュー画面が表示されている表示部２０６の、共有メニューパッドに表示されているＰＤＦ作成アイコンをタップすると、表示部２０６には、共有処理部３１６によって、ＰＤＦ取出画面が表示される（Ｓ１３１９）。
ＰＤＦ取出画面が表示されている表示部２０６の、画面に表示されているキャンセルボタンをタップすると、図面表示画面に戻る（Ｓ１３０１）。
ＰＤＦ取出画面が表示されている表示部２０６の、画面に表示されている取出ボタンをタップすると、共有処理部３１６は指定されたメモを図面データ４０２と共にＰＤＦに変換する。そして、図面表示画面に戻る（Ｓ１３０１）。
【００４８】
共有メニュー画面が表示されている表示部２０６の、共有メニューパッドに表示されているアップロードアイコンをタップすると、表示部２０６には、共有処理部３１６によって、アップロード画面が表示される（Ｓ１３２０）。
アップロード画面が表示されている表示部２０６の、画面に表示されているキャンセルボタンをタップすると、図面表示画面に戻る（Ｓ１３０１）。
アップロード画面が表示されている表示部２０６の、画面に表示されている登録ボタンをタップすると、共有処理部３１６は指定されたメモを図面サーバ１０２にアップロードする。そして、図面表示画面に戻る（Ｓ１３０１）。
【００４９】
メインメニュー画面が表示されている表示部２０６の、メインメニューパッドに表示されている図面アイコンをタップすると、表示部２０６には、図面選択処理部３１７によって、図面選択画面が表示される（Ｓ１３２１）。
図面選択画面が表示されている表示部２０６の、画面に表示されている図面に戻るボタンをタップすると、図面表示画面に戻る（Ｓ１３０１）。
図面選択画面が表示されている表示部２０６の、画面に表示されている何れかの図面名称欄をタップすると、図面選択処理部３１７は指定された図面ファイル４０１をメモＩＤメモリ３０４に書き込む。そして、図面表示画面に戻る（Ｓ１３０１）。メモＩＤメモリ３０４に書き込まれた図面ファイル４０１のファイル名は、図面表示処理部３０６に読み込まれ、図面表示処理部３０６は表示部２０６に図面を表示する。また、図面ファイル４０１に格納されているメモＩＤが図面表示処理部３０６によってメモＩＤメモリ３０４に書き込まれる。メモＩＤメモリ３０４に書き込まれたメモＩＤは図面アイコン表示処理部３０８に読み込まれ、表示部２０６には図面アイコンが表示される。
【００５０】
［表示画面：メニューアイコン］
図１４Ａは、施工業務管理装置１０３の表示部２０６（タッチパネルディスプレイ）に表示される図面表示画面１４０１の一例を示す図である。図１３のステップＳ１３０１に該当する。
表示部２０６の全面には、図面ファイル４０１中の図面データ４０２（建築図面１４０２）が表示されている。そして、この建築図面１４０２の左上に、角が丸い正方形形状のメニューアイコン１４０３が表示されている。
図１４Ｂは、図面表示画面１４０１に表示されるメニューアイコン１４０３の移動可能な場所の一例を示す図である。
メニューアイコン１４０３は、ユーザのドラッグ操作によって移動可能である。但し、メニューアイコン１４０３は、表示部２０６に表示される建築図面１４０２をできるだけ邪魔しないように、メニューアイコン表示処理部３０９内の除外エリア座標３０９ａにて定義される、表示部２０６の四隅に近い場所にのみ移動可能である（Ｐ１４０３ａ、Ｐ１４０３ｂ、Ｐ１４０３ｃ）。
図１４Ｃは、図面表示画面１４０１に表示されるメニューアイコン１４０３の移動不可能な場所の一例を示す図である。
仮に、ユーザがドラッグ操作によってメニューアイコン１４０３を表示部２０６の中央近辺（Ｐ１４０３ｄ）に置こうとすると、メニューアイコン表示処理部３０９は、メニューアイコン１４０３が置かれた場所Ｐ１４０３ｄが除外エリア座標３０９ａの中であることを認識し、直前のメニューアイコン１４０３の移動方向、移動速度等に基いて、表示部２０６の四隅へメニューアイコン１４０３を移動させる（Ｐ１４０３ｅ）。
【００５１】
［表示画面：メニュー画面］
図１５Ａは、施工業務管理装置１０３の表示部２０６に表示される図面表示画面１５０１の一例を示す図である。図１４Ｂと同じ図である。
図１５Ｂは、施工業務管理装置１０３の表示部２０６に表示されるメインメニュー画面１５０３の一例を示す図である。
図１５Ａに示される図面表示画面１５０１において、メニューアイコン１４０３をタップすると、図１５Ｂに示すメインメニューパッド１５０２が、表示部２０６の中心に表示される。すなわち、表示部２０６にはメインメニュー画面１５０３（図１３のステップＳ１３０３）が表示される。なおその際、メニューアイコン１４０３は直前の位置を保持している。図１５Ｂの場合は左上であるが、もし、メニューアイコン１４０３が図１５Ａに示されるように他の位置に移動された状態でタップ操作されると、メニューアイコン１４０３はその位置を保持したまま、メインメニューパッド１５０２が表示される。
【００５２】
メインメニューパッド１５０２には、画像アイコン１５０２ａ、カメラアイコン１５０２ｂ、コメントアイコン１５０２ｃ、メモアイコン１５０２ｄ、共有アイコン１５０２ｅ、図面アイコン１５０２ｆが表示されている。
【００５３】
図１５Ｃは、施工業務管理装置１０３の表示部２０６に表示されるメモメニュー画面１５０４の一例を示す図である。
図１５Ｂに示される図面表示画面１５０１において、メインメニューパッド１５０２のメモアイコン１５０２ｄをタップすると、図１５Ｃに示すメモメニューパッド１５０５が、表示部２０６の中心に表示される。すなわち、表示部２０６にはメモメニュー画面１５０４（図１３のステップＳ１３１２）が表示される。なおその際、メニューアイコン１４０３は直前の位置を保持している。図１５Ｃの場合は左上であるが、もし、メニューアイコン１４０３が図１５Ａに示されるように他の位置に移動された状態でタップ操作されると、メニューアイコン１４０３はその位置を保持したまま、メモメニューパッド１５０５が表示される。
【００５４】
メモメニューパッド１５０５には、新規メモ作成アイコン１５０５ａ、メモ取得アイコン１５０５ｂ、メモ一覧アイコン１５０５ｃ、メモコピーアイコン１５０５ｄ、そしてメモメニューパッド１５０５の中心には、戻るアイコン１５０５ｅが表示されている。
【００５５】
図１５Ｄは、施工業務管理装置１０３の表示部２０６に表示される共有メニュー画面１５０６の一例を示す図である。
図１５Ｂに示される図面表示画面１５０１において、メインメニューパッド１５０２の共有アイコン１５０２ｅをタップすると、図１５Ｄに示す共有メニューパッド１５０７が、表示部２０６の中心に表示される。すなわち、表示部２０６には共有メニュー画面１５０６（図１３のステップＳ１３１７）が表示される。なおその際、メニューアイコン１４０３は直前の位置を保持している。図１５Ｄの場合は左上であるが、もし、メニューアイコン１４０３が図１５Ａに示されるように右下に移動された状態でタップ操作されると、メニューアイコン１４０３はその位置を保持したまま、共有メニューパッド１５０７が表示される。
【００５６】
共有メニューパッド１５０７には、メール作成アイコン１５０７ａ、ＰＤＦ作成アイコン１５０７ｂ、アップロードアイコン１５０７ｃ、そして共有メニューパッド１５０７の中心には、戻るアイコン１５０７ｄが表示されている。
【００５７】
［表示画面：各機能の画面及びメニューアイコン１４０３］
図１６は、画面の遷移を示す図である。図１３に示した状態遷移図の一部を、表示画面で置き換えたものである。
メインメニュー画面１５０３に表示されているメインメニューパッド１５０２の、画像アイコン１５０２ａをタップすると、表示部２０６には画像登録図面表示画面１６０１（図１３のＳ１３０４）が表示される。
画像登録図面表示画面１６０１の、図面上の任意の位置をタップすると、表示部２０６にはカメラロール画面１６０２（図１３のＳ１３０５）が表示される。
メインメニュー画面１５０３に表示されているメインメニューパッド１５０２の、カメラアイコン１５０２ｂをタップすると、表示部２０６には撮影図面表示画面１６０３（図１３のＳ１３０７）が表示される。
撮影図面表示画面１６０３の、図面上の任意の位置をタップすると、表示部２０６には画像登録画面１６０４（図１３のＳ１３０６）が表示される。
メインメニュー画面１５０３に表示されているメインメニューパッド１５０２の、コメントアイコン１５０２ｃをタップすると、表示部２０６にはコメント図面表示画面１６０５（図１３のＳ１３１０）が表示される。
コメント図面表示画面１６０５の、図面上の任意の位置をタップすると、表示部２０６にはコメント登録画面１６０６（図１３のＳ１３１１）が表示される。
【００５８】
メインメニュー画面１５０３に表示されているメインメニューパッド１５０２の、メモアイコン１５０２ｄをタップすると、表示部２０６にはメモメニュー画面１５０４（図１３のＳ１３１２）が表示される。
メモメニュー画面１５０４に表示されているメモメニューパッド１５０５の、メモ一覧アイコン１５０５ｃをタップすると、表示部２０６にはメモ一覧表示画面１６０７（図１３のＳ１３１５）が表示される。
メモメニュー画面１５０４に表示されているメモメニューパッド１５０５の、メモコピーアイコン１５０５ｄをタップすると、表示部２０６にはメモコピー画面１６０８（図１３のＳ１３１６）が表示される。
メモメニュー画面１５０４に表示されているメモメニューパッド１５０５の、メモ取得アイコン１５０５ｂをタップすると、表示部２０６にはサーバメモ取得画面１６０９（図１３のＳ１３１４）が表示される。
【００５９】
メインメニュー画面１５０３に表示されているメインメニューパッド１５０２の、図面アイコン１５０２ｆをタップすると、表示部２０６には図面選択画面１６１０（図１３のＳ１３２１）が表示される。
メインメニュー画面１５０３に表示されているメインメニューパッド１５０２の、共有アイコン１５０２ｅをタップすると、表示部２０６には共有メニュー画面１５０６（図１３のＳ１３１９）が表示される。
共有メニュー画面１５０６に表示されている共有メニューパッド１５０７の、アップロードアイコン１５０７ｃをタップすると、表示部２０６にはアップロード画面１６１１（図１３のＳ１３２０）が表示される。
【００６０】
図１７は、メニューアイコン１４０３のバリエーションを示す図である。
メニューアイコン１４０３は、メインメニュー画面１５０３（Ｓ１３０１）、メモメニュー画面１５０４（Ｓ１３１２）及び共有メニュー画面１５０６（Ｓ１３１７）では、メニューアイコン１４０３の表示状態を維持している。しかし、画像登録図面表示画面１６０１（Ｓ１３０４）が表示部２０６に表示されている状態では、メニューアイコン１４０３は画像アイコン１７０１に変化する。
同様に、撮影図面表示画面１６０３（Ｓ１３０７）が表示部２０６に表示されている状態では、メニューアイコン１４０３はカメラアイコン１７０２に変化する。
同様に、コメント図面表示画面１６０５（Ｓ１３１０）が表示部２０６に表示されている状態では、メニューアイコン１４０３はコメントアイコン１７０３に変化する。
これらメニューアイコン１４０３の変化は、画像登録図面表示画面１６０１（Ｓ１３０４）、撮影図面表示画面１６０３（Ｓ１３０７）及びコメント図面表示画面１６０５（Ｓ１３１０）が、図面表示画面１５０１（Ｓ１３０１）と全く変わらない表示状態であるため、現在の施工業務管理装置１０３の機能状態を明示するためにアイコンデザインを変化させている。
【００６１】
以上、図１３、図１５、図１６を参照して判るように、施工業務管理装置１０３は、その機能を一つのメニューアイコン１４０３からツリー構造で辿れるように設計されている。メニューアイコン１４０３は画面の表示内容をできるだけ邪魔しないように、ただ一つだけ表示され、更にメニューアイコン１４０３は画面内の周縁部分へ自由に移動が可能である。
施工業務管理装置１０３における各機能の呼び出しは、メニューアイコン１４０３をタップすることで、表示部２０６中央にメニューパッドの形態で表示される。メニューパッドには各機能に対応するアイコンが表示されており、アイコンをタップすることで、所望の機能又はサブメニューのためのメニューパッドを呼び出す。
【００６２】
本実施形態においては、施工業務管理装置１０３を開示した。
限られた面積のタッチパネルディスプレイを装備する携帯型無線端末よりなる施工業務管理装置１０３は、建築図面１４０２等が全面表示されるタッチパネルディスプレイの表示内容をできるだけ邪魔しないように、タッチパネルディスプレイにはメニューアイコン１４０３がただ一つだけ表示される。更に、このメニューアイコン１４０３は画面内の周縁部分へ自由に移動が可能である。そして、メニューボタンをタップすることで、メニューパッドが画面中央に展開される。すなわち、施工業務管理装置１０３は、その機能を一つのメニューアイコン１４０３からツリー構造で辿れるように設計されている。
【００６３】
以上、本発明の実施形態について説明したが、本発明は上記実施形態に限定されるものではなく、特許請求の範囲に記載した本発明の要旨を逸脱しない限りにおいて、他の変形例、応用例を含む。
例えば、上記した実施形態は本発明をわかりやすく説明するために装置及びシステムの構成を詳細且つ具体的に説明したものであり、必ずしも説明した全ての構成を備えるものに限定されるものではない。また、ある実施形態の構成の一部を他の実施形態の構成に置き換えることは可能であり、更にはある実施形態の構成に他の実施形態の構成を加えることも可能である。また、各実施形態の構成の一部について、他の構成の追加・削除・置換をすることも可能である。
また、上記の各構成、機能、処理部等は、それらの一部又は全部を、例えば集積回路で設計するなどによりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の揮発性あるいは不揮発性のストレージ、または、ＩＣカード、光ディスク等の記録媒体に保持することができる。
また、制御線や情報線は説明上必要と考えられるものを示しており、製品上必ずしもすべての制御線や情報線を示しているとは限らない。実際には殆ど全ての構成が相互に接続されていると考えてもよい。
【符号の説明】
【００６４】
１０１…施工業務管理システム、１０２…図面サーバ、１０３…施工業務管理装置、１０４…アクセスポイント、１０５…インターネット、１０６…作業員、２０１…バス、２０２…ＣＰＵ、２０３…ＲＯＭ、２０４…ＲＡＭ、２０５…不揮発性ストレージ、２０６…表示部、２０７…操作部、２０８…無線通信部、２０９…マイク、２１０…Ａ／Ｄ変換器、２１１…スピーカ、２１２…Ｄ／Ａ変換器、２１３…撮像素子、３０１…操作情報解析部、３０２…オブジェクト座標メモリ、３０３…状態メモリ、３０４…メモＩＤメモリ、３０５…ファイルシステム、３０６…図面表示処理部、３０７…表示制御部、３０８…図面アイコン表示処理部、３０９…メニューアイコン表示処理部、３０９ａ…除外エリア座標、３１０…コンテンツ表示処理部、３１１…メニューパッド表示処理部、３１２…画像登録処理部、３１３…撮影処理部、３１４…コメント処理部、３１５…メモ処理部、３１６…共有処理部、３１７…図面選択処理部、４０１…図面ファイル、４０２…図面データ、４０３…メモ、４０４…オブジェクト、４０５…図面データ領域、４０６…メモインデックステーブル領域、４０７…オブジェクトテーブル領域、４０８…メモインデックステーブル、４０９…オブジェクトテーブル、５０１…図面アイコンライブラリ、５０２…メニューアイコンライブラリ、５０３…画像ファイル、６０１…メニューパッドライブラリ、１４０１…図面表示画面、１４０２…建築図面、１４０３…メニューアイコン、１５０１…図面表示画面、１５０２…メインメニューパッド、１５０３…メインメニュー画面、１５０４…メモメニュー画面、１５０５…メモメニューパッド、１５０６…共有メニュー画面、１５０７…共有メニューパッド、１６０１…画像登録図面表示画面、１６０２…カメラロール画面、１６０３…撮影図面表示画面、１６０４…画像登録画面、１６０５…コメント図面表示画面、１６０６…コメント登録画面、１６０７…メモ一覧表示画面、１６０８…メモコピー画面、１６０９…サーバメモ取得画面、１６１０…図面選択画面、１６１１…アップロード画面、１７０１…画像アイコン、１７０２…カメラアイコン、１７０３…コメントアイコン
【図１】
2016110391.tif 000003
【図２】
2016110391.tif 000004
【図３】
2016110391.tif 000005
【図４】
2016110391.tif 000006
【図５】
2016110391.tif 000007
【図６】
2016110391.tif 000008
【図７】
2016110391.tif 000009
【図８】
2016110391.tif 000010
【図９】
2016110391.tif 000011
【図１０】
2016110391.tif 000012
【図１１】
2016110391.tif 000013
【図１２】
2016110391.tif 000014
【図１３】
2016110391.tif 000015
【図１４】
2016110391.tif 000016
【図１５】
2016110391.tif 000017
【図１６】
2016110391.tif 000018
【図１７】
2016110391.tif 000019